(57)【要約】【課題】外壁面にビス等の固定具で固定できるものにおいて、取付部が外れにくいパイプ抱持バンド取付具を提供する。【解決手段】パイプ抱持バンド取付具１は、外壁面３に添設され、固定具１３で固定具挿通孔１１を介して外壁面３に固定される基板部１０と、基板部１０の板面より突出した、パイプ抱持バンド５０を取り付けるための取付部２０と、取付部２０が挿通される挿通開口３３を有した、基板部１０の全体を覆うカバー部材３０と、カバー部材３０を取付部２０に挿通取り付けした状態で両者を係止する係止手段４０とを備えている。【選択図】図１
2019100100.tif 000002
【特許請求の範囲】
【請求項１】
外壁面に添設され、固定具で固定具挿通孔を介して前記外壁面に固定される基板部と、
該基板部の板面より突出した、パイプ抱持バンドを取り付けるための取付部と、
該取付部が挿通される挿通開口を有した、前記基板部の全体を覆うカバー部材と、
前記カバー部材を前記取付部に挿通取り付けした状態で両者を係止する係止手段とを備えたことを特徴とするパイプ抱持バンド取付具。
【請求項２】
請求項１において、
前記取付部の外周部に、前記カバー部材の前記基板部側への圧入を可能とし、かつ前記基板部側とは反体の方向への取り外しを不可とした係止突起が形成されており、
前記係止手段は、前記カバー部材の外面の前記挿通開口の外周部に、前記係止突起が当接することで、前記カバー部材の抜けを防止する構成とされていることを特徴とするパイプ抱持バンド取付具。
【請求項３】
請求項１において、
前記取付部の外周部に、前記カバー部材の挿通方向に連続する連続凹凸が形成されており、
前記係止手段は、前記挿通開口の開口端面と前記連続凹凸との圧接により、前記カバー部材の抜けを防止する構成とされていることを特徴とするパイプ抱持バンド取付具。
【請求項４】
請求項１〜３のいずれか１項において、
前記カバー部材は、前記基板部に相対する面に凹部を有した平底鍋部と、該平底鍋部の外周縁より外側に延出した、前記外壁面に当接する鍔部とを備えたことを特徴とするパイプ抱持バンド取付具。
【発明の詳細な説明】
【技術分野】
【０００１】
本発明は、パイプを外壁面に沿わせるように配設するためのパイプ抱持バンド取付具に関する。
【背景技術】
【０００２】
従来には、図６に示すように、コンクリート壁面１１０のアンカーナット１０２に取り付けできるアンカーボルト１０１（固定部）を有したパイプ抱持バンド取付具１００が一般的に多く用いられている。このものは、アンカーボルト１０１および板状の取付部１０３が椀状のカバー部材１０４に溶接等により一体固着されてなる（図６（ａ）（ｂ）参照）。なお、取付部１０３に設けてある長孔１０３ａはパイプ６（図５参照）を抱持するパイプ抱持バンド５０（図５参照）を固定するためのものである。
【０００３】
さらに近年では、木質壁面に対してビス止めにて取り付けできるパイプ抱持バンド取付具として、簡易なＴ字、Ｌ字形状のものに代えて、図６のものに外観上、類似したものも提案されている（たとえば、特許文献１参照）。
【０００４】
同文献のものは、外壁面に固着される取付円板体（基板部）と、取付円板体に係合止着される係合円板体と、取付円板体を覆う椀状鍔体（カバー部材）と、パイプ抱持部材を取り付けるための支持板体（取付部）との４部材よりなり、構造上は図６のものと異なるが、外観上は類似した形状とされている。
【０００５】
このものは、外壁面に取付円板体をビス止めしておき、その取付円板体に被せるように、係合円板体および支持板体を一体化させた椀状鍔体を止着させる取付構造とされている。取付円板体に対する椀状鍔体の止着は、取付円板体と係合円板体との係合爪どうしの係合によりなされる。
【０００６】
椀状鍔体に係合円板体と支持板体とをあらかじめ固着しておけば、支持板体を操作部として把持して回転させながら取付円板体に止着することができ、簡易で効率的な取り付けを実施することができる。
【先行技術文献】
【特許文献】
【０００７】
【特許文献１】特許第３７３８４４５号公報
【発明の概要】
【発明が解決しようとする課題】
【０００８】
しかしながら、上記文献のものは、支持板体が椀状鍔体（カバー部材）に固着されているため、パイプを施工した後に椀状鍔体が取付円板体から外れれば、支持板体（取付部）に取り付けられたパイプ抱持バンドが椀状鍔体とともにパイプに沿ってずり落ちるおそれがある。椀状鍔体は取付円板体に係合爪で止着されているため、風雨等によるパイプの揺れなどでパイプ抱持バンドが揺動し、その揺動により椀状鍔体が回転するおそれがあり、それにより、支持板体をともなった状態で椀状鍔体が取付円板体から外れてしまう可能性は十分にある。
【０００９】
なお、上述したアンカーボルト１０１付きのコンクリート壁面１１０用のパイプ抱持バンド取付具１００は、図６（ａ）（ｂ）に示すように、取付部１０３がカバー部材１０４に一体固着され、さらにカバー部材１０４がアンカーボルト１０１に一体固着されているため、パイプ６（図５参照））の施工後にパイプ抱持バンド５０（図５参照）の揺動などにより、取付部１０３のみが、あるいは取付部１０３が固着されたカバー部材１０４が外れるおそれはほとんどない。
【００１０】
本発明は、このような事情を考慮して提案されたもので、その目的は、外壁面にビス等の固定具で固定できるものにおいて、取付部を外れにくくしたパイプ抱持バンド取付具を提供することにある。
【課題を解決するための手段】
【００１１】
上記目的を達成するために、請求項１に記載のパイプ抱持バンド取付具は、外壁面に添設され、固定具で固定具挿通孔を介して外壁面に固定される基板部と、基板部の板面より突出した、パイプ抱持バンドを取り付けるための取付部と、取付部が挿通される挿通開口を有した、基板部の全体を覆うカバー部材と、カバー部材を取付部に挿通取り付けした状態で両者を係止する係止手段とを備えたことを特徴とする。
【００１２】
請求項２に記載のパイプ抱持バンド取付具は、取付部の外周部に、カバー部材の基板部側への圧入を可能とし、かつ基板部側とは反体の方向への取り外しを不可とした係止突起が形成されており、係止手段は、カバー部材の外面の挿通開口の外周部に、係止突起が当接することでカバー部材の抜けを防止する構成とされていることを特徴とする。
【００１３】
請求項３に記載のパイプ抱持バンド取付具は、取付部の外周部に、カバー部材の挿通方向に連続する連続凹凸が形成されており、係止手段は、挿通開口の開口端面と連続凹凸との圧接により、カバー部材の抜けを防止する構成とされていることを特徴とする。
【００１４】
請求項４に記載のパイプ抱持バンド取付具は、カバー部材は、基板部に相対する面に凹部を有した平底鍋部と、平底鍋部の外周縁より外側に延出した、外壁面に当接する鍔部とを備えたことを特徴とする。
【発明の効果】
【００１５】
請求項１に記載のパイプ抱持バンド取付具は上述した構成となっているため、取付部の外れの発生を防止することができる。
【００１６】
請求項２に記載のパイプ抱持バンド取付具は上述した構成となっているため、カバー部材の外れの発生をさらに防止することができる。また、カバー部材が外れない構成であるため、パイプ抱持バンド取付具の安定した形状を維持することができる。
【００１７】
請求項３に記載のパイプ抱持バンド取付具は上述した構成となっているため、カバー部材の外れの発生をさらに防止することができる。また、このパイプ抱持バンド取付具によれば寸法誤差を吸収でき、さらに種々の寸法のものに対応させることもできる。また、カバー部材を取り外すこともでき、カバー部材の装着のし直しや交換も可能となる。
【００１８】
請求項４に記載のパイプ抱持バンド取付具は上述した構成となっているため、外観を従来のものと同様のものとすることができる。その結果、本パイプ抱持バンドと従来のパイプ抱持バンドとを混在させて一見して同種のものとして使用することができる。
【図面の簡単な説明】
【００１９】
【図１】本発明の一実施形態に係るパイプ抱持バンド取付具の説明図である。（ａ）は同パイプ抱持バンド取付具の分解斜視図、（ｂ）はカバー部材の正面図、（ｃ）は取付部が固着された基板部の正面図である。
【図２】（ａ）（ｂ）は、外壁面に取り付けられた基板部（取付部）に対するカバー部材の取り付け手順を示す一部を断面とした側面図である。
【図３】係止手段の他の構成例を示す拡大縦断面図である。
【図４】同パイプ抱持バンド取付具の設置例を示す側面図である。
【図５】同パイプ抱持バンド取付具の使用態様の一例を示す斜視図である。
【図６】従来のパイプ抱持バンド取付具の説明図である。（ｂ）は同パイプ抱持バンド取付具の斜視図、（ｃ）は同パイプ抱持バンド取付具の取り付け状態を示す縦断面図である。
【発明を実施するための形態】
【００２０】
以下に、本発明の実施の形態について、添付図面をもとに説明する。
【００２１】
本実施形態に係るパイプ抱持バンド取付具１（以下、バンド取付具１と略す）は、図１に示すように、外壁面３（図２参照）に固定される基板部１０と、基板部１０の板面より突出した矩形板状の取付部２０と、取付部２０が挿通され、基板部１０の全体を覆うカバー部材３０と、カバー部材３０を取付部２０に挿通取り付けした状態で両者を係止する係止手段４０とを備えている。
【００２２】
基板部１０、取付部２０およびカバー部材３０は金属材料とされることが望ましいが、これには限らず、硬質樹脂材で製されたものとしてもよい。基板部１０と取付部２０とは、すくなくとも現場での施工に際してあらかじめ固着一体化されていることが望ましい。
なお以下の実施形態の説明においては、建物の外壁面３に取り付ける基板部１０側を後部とし、前方に突出した取付部２０の先端側を前部とする。
【００２３】
基板部１０は、図１（ａ）（ｃ）に示すように円板形状とされ、ビス、釘等の固定具１３が挿通される複数（図例では４つ）の固定具挿通孔１１が開設されている。この基板部１０はビス、釘等が打設され得る木質等の外壁面３に対し面接触し、固定具１３で固定され得る。
【００２４】
取付部２０は、図１（ａ）に示すように略長方形状の板体とされ、基板部１０より前方に突出するように配される。取付部２０は、パイプ抱持バンド５０（図５参照）を出具合調節して取り付けするための長孔２１が開設され、長手方向の一端（後端）側における幅方向の両端に係止突起２３が形成されている。この取付部２０は、係止突起２３が配設されたほうの長手方向の端部が基板部１０の前面中央に溶接にて固着されて基板部１０と一体化されている。
【００２５】
係止突起２３は、カバー部材３０を取り付けたときの抜け止め用の係止手段４０として作用する。係止突起２３の前方面は、幅方向の側端面から緩やかに凸湾曲状に前方側より上り傾斜したガイド面２３ａとされている一方、係止突起２３の後方面は、取付部２０の側端面に対して略垂直な起立面２３ｂとされている。ガイド面２３ａはカバー部材３０を装着する際の誘導面とされ、起立面２３ｂはカバー部材３０が形成される係止面とされる。なお係止手段４０の詳細については、図２の説明とともに後述する。
【００２６】
カバー部材３０は、図１（ａ）（ｂ）に示すように、装着状態における基板部１０に相対する面に凹部３５を有した平底鍋部３１と、平底鍋部３１の外周縁より外側に延出した、外壁面３に当接する鍔部３４とを備えている。平底部３２には取付部２０が挿通される、取付部２０の断面寸法よりもやや大きな寸法の挿通開口３３が開設されている。カバー部材３０が外壁面３に対し適切に取り付けられた状態では、基板部１０は凹部３５内における、正面視で図１（ｂ）の破線の位置に配される。
【００２７】
このバンド取付具１は、図２（ｂ）に示すように外壁面３に取り付けた状態では、基板部１０は露出せず、カバー部材３０の表面と取付部２０の挿通開口３３より突出した部分のみが露出しており、外観においては、図６（ｂ）に示した従来のものとほとんど変わらない。
【００２８】
また、図２（ａ）に示すように、カバー部材３０の鍔部３４の裏面（後面）から平底部３２の外面までの寸法Ｌ１（鍋全体の厚さ寸法）は、基板部１０の裏面から取付部２０の係止突起２３の起立面２３ｂまでの寸法Ｌ２と略同一とされる。
【００２９】
このバンド取付具１は、まず取付部２０付きの基板部１０が取付部２０の板面が水平方向に向くように固定具１３で外壁面３に固定され、突出状態にある取付部２０にカバー部材３０が挿通されて固定される取り付け構造、手順とされている。
【００３０】
上述したように、カバー部材３０の挿通開口３３は取付部２０の断面寸法よりもやや大とされ、特に取付部２０の幅方向に対応した寸法は、挿通開口３３の長手方向の両開口端面３３ａが係止突起２３のガイド面２３ａに乗り上げる程度の寸法とされる。したがって、カバー部材３０は圧入されることで係止突起２３を乗り越えて係止される。ようするに、係止手段４０は、カバー部材３０の外面の挿通開口３３の外周部に、係止突起２３の起立面２３ｂが当接することで、カバー部材３０が固定されて抜けが防止される構成とされている。
【００３１】
上述したように、寸法Ｌ１と寸法Ｌ２とが略同一とされているため、カバー部材３０が図２（ｂ）のように装着されると、カバー部材３０の鍔部３４の裏面が外壁面３に当接して、カバー部材３０は外壁面３と係止突起２３のガイド面２３ａとの間に挟まれた状態となって固定される。
【００３２】
ようするに、係止突起２３はカバー部材３０の基板部１０側への圧入を可能とし、かつ基板部１０側とは反体の方向への取り外しを不可とされている。この係止突起２３は取付部２０の幅方向の端部に設けるものには限られず、取付部２０の板面に設けるようにしてもよい。
【００３３】
この係止突起２３によれば、いったんカバー部材３０が装着されると、その後、抜け出ることを防止できる。よって、カバー部材３０の外れによりバンド取付具１の取り付け外観が変動し美観が損なわれることを回避できる。
【００３４】
また、図３は係止手段４０の他の例の説明図であり、挿通開口３３部分の拡大縦断面図である。この拡大図に示すように、この取付部２０には、上記係止突起２３に代えて、前後方向つまりカバー部材３０の挿通方向に連続する連続凹凸２５が設けてある。ようするに、係止手段４０は、連続凹凸２５の凸部２５ａと、挿通開口３３の長手方向の両開口端面３３ａとが圧接することで、カバー部材３０が固定されて抜けが防止されるように構成されている。
【００３５】
この連続凹凸２５による係止手段４０によれば、図２（ａ）における寸法Ｌ１，Ｌ２に関する寸法誤差を吸収して、あるいは種々の寸法のものに対応させて、カバー部材３０を弛みなく取り付けることができる。もちろん、圧接状態に取り付けられるためカバー部材３０が外れるおそれはほとんどない。しかも圧接状態に固定される構成であるため、カバー部材３０を取り外すことも可能であり、カバー部材３０の装着のし直しや交換も可能となる。
【００３６】
この連続凹凸２５についても、取付部２０の幅方向の端部に設けるものには限られず、取付部２０の板面側に設けてもよいし、取付部２０の全周に設けてもよい。
【００３７】
また、係止突起２３の外側部や連続凹凸２５の凸部２５ａの先端部は、カバー部材３０の装着をしやすくするために、金属よりは柔軟な硬質樹脂材や軟質樹脂材、ゴムで形成されたものとしてもよい。
【００３８】
また、係止手段４０の他の例として、挿通開口３３を大きな開口とし、挿通開口３３と取付部２０との隙間に前方よりくさび材を打ち込むものでもよい。
【００３９】
以上のようにしてカバー部材３０は、取付部２０を挿通開口３３より突出させた状態で、基板部１０を覆うように取り付け固定される。
【００４０】
本バンド取付具１によれば、固定具１３で固定された基板部１０はカバー部材３０で隠されるため、固定具１３の頭部が露出することがなく、美観を損なうおそれはない。さらに、係止手段４０の係止作用が弱い場合や経時的に低下してカバー部材３０にずれ、外れが起こった場合でも、取付部２０自体には悪影響を及ぼすおそれはない。したがって、後述するパイプ抱持バンド５０（図５参照）の固定状態に悪影響を及ぼす可能性はほとんどない。よって、安定したパイプ６（図５参照）保持を長期間にわたり維持することができる。
【００４１】
また、カバー部材３０および取付部２０の外観を従来のパイプ抱持バンド取付具１００（図６参照）のものと略同様とすれば、つまりバンド取付具１の取り付け後の全体外観として従来のものと略同一外観にすることで、本バンド取付具１を従来のものに混在させて利用しても外観上ほとんど見分けがつかないようにできる。ようするに、上記２種のものを混在利用しても美観に影響を及ぼすことがない。
【００４２】
たとえば、図４に示すように、コークリート壁面４と木質壁面３とが上下に連なって形成されている外壁にパイプ６を配設する場合に、コンクリート壁面４には従来のパイプ抱持バンド取付具１００（図５参照）を使用し、木質壁面３には本バンド取付具１を使用することができる。
【００４３】
ついで、本バンド取付具１によるパイプ６支持の使用態様の一例について、図５を参照して説明する。
【００４４】
外壁面３に取り付けた場合に前方に配される取付部２０は、上述したように、パイプ抱持バンド５０を取り付けるための部位である。パイプ抱持バンド５０は半円状のバンド部５２を有した２つのバンド部材５１をヒンジ結合してなり、平板状の取付片部５３を開閉できる構成とされ、取付片部５３を開閉することでパイプ６を着脱できるように形成されている。
【００４５】
パイプ抱持バンド５０は、一対の取付片部５３で板状の取付部２０を挟持するようにして、それぞれ２箇所の挿通孔５３ａを通じて、取付部２０の長孔２１の適所でボルト５５、ナット５６で固定される。
【００４６】
このようにして、複数のバンド取付具１のそれぞれにパイプ抱持バンド５０が取り付けられてパイプ６が配設される。
【符号の説明】
【００４７】
１            パイプ抱持バンド取付具（バンド取付具）
３            外壁面（木質壁面）
６            パイプ
１０          基板部
１１          固定具挿通孔
１３          固定具
２０          取付部
２１          長孔
２３          係止突起
２５          連続凹凸
３０          カバー部材
３１          平底鍋部
３２          平底部
３３          挿通開口
３３ａ        開口端面
３４          鍔部
３５          凹部
４０          係止手段
５０          パイプ抱持バンド
【図１】
2019100100.tif 000003
【図２】
2019100100.tif 000004
【図３】
2019100100.tif 000005
【図４】
2019100100.tif 000006
【図５】
2019100100.tif 000007
【図６】
2019100100.tif 000008